(57)【特許請求の範囲】
【請求項１】
上方より給水タンクを装着する給水タンク装着部と、
前記給水タンク装着部に装着される給水タンクから供給される水から高湿空気を生成する高湿空気生成部を備える本体を有し、
前記本体を覆う着脱可能な前カバーと、前記前カバーに取付けられて前記給水タンクの外側を覆う後カバーと、を有し、
前記本体は、上面に、前記後カバーと前記前カバーを取り外すと露出する、前記給水タンク装着部を囲む立壁が設けられ、前記立壁と本体上面で凹部が形成され、前記本体後端下部には、前記高湿空気生成部に電力を供給するための着脱可能な電源コードの接続状態を磁力で保つように構成された電源コード接続部が設けられ、
前記立壁のもっとも高さが低い部分は２か所設けられ、前記電源コード接続部側から見たとき、前記電源コード接続部の上方からそれぞれ左右にずれた位置に配置され、
前記電源コード接続部の周囲には、前記２か所の前記立壁のもっとも高さが低い部分の左右の範囲よりも狭い範囲でリブが設けられていることを特徴とする加湿器。
【発明の詳細な説明】
【技術分野】
【０００１】
本発明は加湿器に関する。
【背景技術】
【０００２】
従来から、本体に、上方より取り付ける給水タンクとこのタンクから供給された水を貯める貯水槽と、貯水槽内の水を加熱する加熱部と、貯水槽からの蒸気を本体外に案内するスチームガイドを備え、これらをケースで覆った加湿器がある（例えば、特許文献１参照）。
【先行技術文献】
【特許文献】
【０００３】
【特許文献１】特開２００１−２３５１９１号公報
【発明の概要】
【発明が解決しようとする課題】
【０００４】
しかしながら従来の構成では、給水タンクから水が漏れた場合、本体上面から水があふれ出す恐れがある。特に、本体外側に電源コードの接続部分が設けられ、この接続部分に対して電源コードが着脱自在に構成されている加湿器の場合、水があふれ出ると、電源コードの接続部分に水が浸入しショートする恐れがあるという課題がある。
【０００５】
本発明は、上記のような課題を解決する為になされたもので、本体上面から水があふれ出した場合であっても、本体の外側に設けられた電源コードの接続部分に水が浸入することを防止することが可能な加湿器を提供することを目的とする。
【課題を解決するための手段】
【０００６】
上記の課題を解決するためには、加湿器において、上方より給水タンクを装着する給水
タンク装着部と、給水タンク装着部に装着される給水タンクから供給される水から高湿空
気を生成する高湿空気生成部を備える本体を有し、本体を覆う着脱可能な前カバーと、前カバーに取付けられて給水タンクの外側を覆う後カバーと、を有し、本体は、上面に、前記後カバーと前記前カバーを取り外すと露出する、給水タンク装着部を囲む立壁が設けられ、立壁と本体上面で凹部が形成され、本体後端下部には、高湿空気生成部に電力を供給するための着脱可能な電源コードの接続状態を磁力で保つように構成された電源コード接続部が設けられ、立壁のもっとも高さが低い部分は２か所設けられ、電源コード接続部側から見たとき、電源コード接続部の上方からそれぞれ左右にずれた位置に配置され、電源コード接続部の周囲には、２か所の立壁のもっとも高さが低い部分の左右の範囲よりも狭い範囲でリブが設けられているように構成すればよい。
【発明の効果】
【０００７】
本発明によれば、給水タンクから水が漏れ、本体上面から水があふれ出した場合であっても、本体の外側に設けられた電源コードの接続部分に水が浸入することを防止することが可能である。
【図面の簡単な説明】
【０００８】
【図１】加湿器Ａの側面図（案内風ダクトが収納されている状態）
【図２】加湿器Ａの前方から見た斜視図（案内風ダクトが前方に位置している状態）
【図３】（ａ）加湿器Ａの前上方から見た斜視図、（ｂ）加湿器Ａの上面図、（ｃ）加湿器Ａの後上方から見た斜視図（案内風ダクトが前方に位置している状態）
【図４】（ａ）加湿器Ａの正面図、（ｂ）加湿器Ａの側面図、（ｃ）加湿器Ａの背面図（案内風ダクトが前方に位置している状態）
【図５】（ａ）加湿器Ａの前下方から見た斜視図、（ｂ）加湿器Ａの下面図、（ｃ）加湿器Ａの後下方から見た斜視図（案内風ダクトが前方に位置している状態）
【図６】加湿器Ａの分解斜視図
【図７】図６の本体１０を上方から見た図
【図８】図６の本体１０を後方から見た斜視図  （ａ）通路蓋１７ａが取り付けられた状態  （ｂ）通路蓋１７ｂが外れた状態
【図９】（ａ）加湿器Ａの案内風ダクト６０の分解斜視図１、（ｂ）加湿器Ａの案内風ダクト６０の分解斜視図１
【図１０】（ａ）加湿器Ａの正面図、（ｂ）（ａ）のＡ−Ａ断面図
【図１１】加湿器Ａの前方から見た斜視図であって内部構造を説明するため一部をカットした図（案内風ダクトが前方に位置している状態）
【図１２】加湿器Ａの後方から見た斜視図であって内部構造を説明するため一部をカットした図（案内風ダクトが前方に位置している状態）
【図１３】加湿器Ａの前下方から見た斜視図であって内部構造を説明するため内部が透けた状態で見えるように表現した図（案内風ダクトが前方に位置している状態）
【図１４】給水タンクの着脱過程を示す（ａ）加湿器Ａの正面図、（ｂ）（ａ）のＡ−Ａ断面図
【図１５】給水タンクの着脱過程を示す分解斜視図
【図１６】加湿器Ａの後方から見た分解斜視図１（ロック部１８が高湿風ダクト３０を固定した状態）
【図１７】加湿器Ａの後方から見た分解斜視図２（ロック部１８が高湿風ダクト３０の固定を解除した状態）
【図１８】（ａ）本体１０から前カバー４０を外した状態を示す後上からみた斜視図、（ｂ）（ａ）のロック部１８の位置の拡大図、（ｃ）本体１０から前カバー４０を外した状態を示す横斜め上からみた斜視図
【図１９】ロック部１８（ロック片１８ｂ）の斜視図
【図２０】（ａ）ロック部１８が高湿風ダクト３０の固定を解除した状態を示す斜視図、（ｂ）ロック部１８が高湿風ダクト３０を固定した状態を示す斜視図
【図２１】（ａ）高湿風ダクト３０の上面図、（ｂ）高湿風ダクト３０の側面図
【図２２】前カバー４０及びこの前カバー４０に各部が取り付けられた状態の断面図１（案内風ダクト収納状態）（断面位置は図７（ａ）のＡ−Ａと同じ）
【図２３】前カバー４０及びこの前カバー４０に各部が取り付けられた状態の断面図２（案内風ダクトが前方に出た状態）（断面位置は図７（ａ）のＡ−Ａと同じ）
【図２４】前カバー４０、後カバー５０及び案内風ダクト６０が接続した状態の後方から見た斜視図
【図２５】図１９の分解斜視図
【図２６】図２０の拡大図
【図２７】前カバー４０及びこの前カバー４０に各部が取り付けられた状態の断面図３（案内風ダクトが前方に出た状態）（断面位置は爪部４４を通る位置）
【図２８】図２２の拡大図
【図２９】加湿器Ａの動作を示すフローチャート
【図３０】本体１０の変形例であって（ａ）後方から見た斜視図、（ｂ）側面図、（ｃ）背面図
【図３１】（ａ）給水タンク２０から漏れ出した水が凹部１０ｃの内部に溜まった状態を示す側面方向から見た模式図、（ｂ）（ａ）の状態から本体１０を後部が下がるように傾けた状態を示す側面方向から見た模式図
【発明を実施するための形態】
【０００９】
実施の形態．
図１〜図２９を参照して、実施の形態に係る加湿器Ａを説明する。
加湿器Ａは、各部が設けられる本体１０と、この本体１０に水を供給する給水タンク２０と、本体１０で生成された高湿空気Ｐと搬送風Ｑから高湿風Ｒを生成する高湿風ダクト３０と、本体１０及び本体１０に設けられた各部を覆い前方に向けて高湿風吹出口４１が開口する前カバー４０と、本体１０に設けられた給水タンク２０の外側を覆う後カバー５０と、前カバー４０の上面部４０ａに設けられ本体１０で生成された案内風Ｓの流路となる案内風ダクト６０を有する。
【００１０】
（本体）
主に図１〜図１３を参照すると、本体１０は、上方から見た形状が前後方向に長い楕円形状を成しており、高湿風吹出口４１が開口する前面側に操作表示部１１が配置され、操作表示部１１の後方に制御部１２が配置され、制御部１２の後方に高湿空気生成部１３が配置され、高湿空気生成部１３の後方に送風部１４が配置され、送風部１４の後方に給水タンク装着部１５が配置され、後端に電源コード接続部１６が配置されている。
つまり、高湿風吹出口４１から高湿風Ｒが吹き出す方向と、制御部１２と高湿空気生成部１３と送風部１４と給水タンク装着部１５が並ぶ方向が、同じ方向となっている。
【００１１】
次に、操作表示部１１は、加湿器の電源スイッチや各種の操作及び設定を行うスイッチ等の操作手段１１ａと、加湿器の状態を示すランプやＬＥＤ等の表示手段１１ｂを備えており、制御部１２と通信可能に接続されている。
【００１２】
次に、制御部１２は、加湿器Ａの各部に設けられた電気部品を制御するものであり、前面側であって、本体１０の外壁１０の曲率が大きい領域の内側に位置している。
また制御部１２は、ＲＯＭ、ＲＡＭ、不揮発性メモリ等を有する記憶回路と、記憶回路に記憶された各種の制御プログラムを実行する演算処理部（ＣＰＵ）と、演算処理部に対して信号を入出力する入出力回路と、時間を計測するタイマー回路とを備えている。
【００１３】
制御部１２の入力側には、加湿器Ａの各部制御に必要な情報を取得するセンサ系統（図示せず）が接続されている。センサ系統には、例えば、給水タンク２０内の水位を検出する水位検出部、後述する高湿風Ｒの温度を検出する温度検出部、加湿器Ａ周辺の湿度を検出する湿度検出部、加湿器Ａの周囲に存在する人を検出する人体検出部、後述する高湿風吹出口４１に人が接近したことを検出する近接センサ等が含まれている。
また、制御部１２の出力側には、表示手段１１ｂ、後述する高湿空気生成部１３を構成するヒータ１３ｂや、送風部１４を構成する送風ファン１４ａが接続されている。
尚、制御部１２は、高湿風吹出口４１の下部であって、本体１０の底面１０ｂから高湿空気生成部１３までの高さより高い位置に至る部分に配置される。
【００１４】
次に、高湿空気生成部１３は、給水タンク２０から供給される水から高湿空気Ｐを生成する部位であり、加熱用貯水部１３ａ及びヒータ１３ｂを有する。
加熱用貯水部１３ａは、給水タンク２０から供給された加熱用の水を貯めておく部位であり、例えば、垂直方向に延びた円筒状に形成され、上方に向いて開口している（上面開口１３１ａ）。加熱用貯水部１３ａの下面には、給水タンク装着部１５とつながり、給水タンク２０から供給された水の経路となる給水通路１７が接続されている。
【００１５】
加熱用貯水部１３ａの上部には、垂直方向に延びた円筒状の高湿空気ダクト１３ｃが設けられている。高湿空気ダクト１３ｃは、加熱用貯水部１３ａで生成された高湿空気Ｐ（蒸気）を高湿風ダクト３０に導くものである。
高湿空気ダクト１３ｃの加熱貯水部１３ａ側となる下開口１３１ｃは、加熱用貯水部１３ａの上面開口１３１ａと、ほぼ同じ形状である。高湿風ダクト３０側の上開口１３２ｃは、下開口１３１ｃより小さく前後方向に細長い形状を成している。
【００１６】
また、高湿空気ダクト１３ｃの上端周縁は、外形を上方に延長するように突出する突出リブ１３３ｃが形成されている。更に、高湿空気ダクト１３ｃの側面には、側面を囲むように、側面方向に突出するフランジ１３４ｃが形成されている。
このフランジ１３４ｃは、加熱貯水部１３ａに高湿空気ダクト１３ｃを取り付ける際に、高湿空気ダクト１３ｃの下方向の位置を決めるためのものである。
【００１７】
更に、このフランジ１３４ｃと下開口１３１ｃの間には、パッキン１３５ｃが設けられている。このパッキン１３５ｃは、高湿空気ダクト１３ｃを加熱貯水部１３ａに取り付けた状態において、両部位の間の隙間を埋めるものであり、加熱貯水部１３ａと高湿空気ダクト１３ｃの間から蒸気が漏れるのを防止するためのものである。
【００１８】
次に、ヒータ１３ｂは、加熱用貯水部１３ａ内の水を加熱して蒸気（高湿空気Ｐ）を生成するものである。ヒータ１３ａは、例えば略環状に形成され、加熱用貯水部１３ａの外周側を取囲んでいる。  
【００１９】
次に、主に図１６〜図２０を参照すると、本体上面１０ａであって高湿空気生成部１３と送風部１４（送風ダクト１４ｂ）に囲まれた位置には、後述する高湿風ダクト３０を本体１０に取り付けた際に、この高湿風ダクト３０を本体１０に固定するロック部１８が設けられている。
このロック部１８は、本体上面１０ａに上方に向けて突出した軸１８ａと、この軸１８ａに回動自在に軸支されるロック片１８ｂにより構成されている。ロック片１８ｂは、平面形状が扇形状を成しており、扇形状の中心となる位置に軸１８ａが配置されている。
ロック片１８ｂは、高湿風ダクト３０を固定する状態では、本体１０を上方から見て本体１０の内部に位置し、高湿風ダクト３０の固定を解除した状態では、少なくとも一部が本体１０の外部に突出する。
【００２０】
次に、主に図６〜図１３を参照すると、送風部１４は、遠心ファンである送風ファン１４ａと送風ダクト１４ｂを有する。送風ファン１４ａは、加湿器Ａの内部から外部に向けて流れる気流を発生させるものであり、加湿器Ａから吹き出される高湿風Ｒを案内する案内風Ｓと、高湿風ダクト３０の内部において高湿空気Ｐと混合して高湿風Ｒとなる搬送風Ｑを発生させる。
【００２１】
送風ファン１４ａは、モータ１４１ａと、このモータ１４１ａの回転軸１４１ｃに取り付けられて気流を生じさせる翼部１４１ｂと、翼部１４１ｂを囲むケーシング１４１ｄからなる。この送風ファン１４ａは、モータ１４１ａを後側に、翼部１４１ｂを前側となり、回転軸１４１ｃが前後方向を向くように本体１０の内部に取り付けられる。
つまり、この様に配置されることで、翼部１４１ｂは、モータ１４１ａにより回転されることにより、前方向及び後方向から空気を吸い込み、ケーシング１４１ｄの側面に沿って、上方を含む遠心方向に空気を排出して気流を生み出す。尚、モータ１４１ａは、給水タンク２０の下方に位置する。ケーシング１４１ｄの下部には、水抜き穴１４１ｅを形成する。
【００２２】
次に、本体１０の底面１０ｂには、送風ファン１４ａが吸引する空気を本体１０の内部に取り入れる空気取り入れ口１０１ｂ（図５参照）と、水抜き穴１４１ｅから流れでる水を本体外部に排出する底面水抜き穴１０１ｃが開口している。この空気取り入れ口１０１ｂは、送風部１４と前方と後方にそれぞれ開口している。
送風部１４の前方に位置する空気取り入れ口１０１ｂから取り込まれた空気は、制御部１２で生じた熱と共に翼部１４１ｂへと流下する。つまり、前方に空気取り入れ口１０１ｂを設けることで、制御部１２の冷却を促進することができる。
底面水抜き穴１０１ｃは、水抜き穴１４１ｅの下側の本体底面１０ｂに開口している。
【００２３】
また、送風部１４の後方に位置する空気取り入れ口１０１ｂから取り込まれた空気は、モータ１４１ａの近傍を流下して、モータ１４１ａで生じた熱と共に翼部１４１ｂへと流下する。つまり、後方に空気取り入れ口１０１ｂを設けることで、モータ１４１ａの冷却を促進することができる。
また、送風部１４の下方に位置する空気取り入れ口１０１ｂは、送風ファン１４ａが吸引する空気を本体１０の内部に取り入れる開口であると共に、使用者の誤った使用により送風部１４に水が流入してしまった場合でも、水抜き穴１４１ｅを介して送風ファン１４ａの外部に水を排出し、更に、送風ファン１４ａから排出された水は、底面水抜き穴１０１ｃを介して、本体１０の外部に排出される。
なお、水抜き穴１４１ｅは直径７ｍｍであり、ケーシング１４１ｄ内の空気の流れを乱さず、かつ、水が十分抜けやすい大きさに形成している。
【００２４】
次に、送風ダクト１４ｂは、本体１０の内部から外部に、送風ファン１４ａからの気流を導く流路となるもので、本体上面１０ａから突出した筒状の部材であり、上方に向けて矩形状の送風ダクト開口１４ｃが開口している。
この送風ダクト開口１４ｃには、開口を開閉する蓋体１４ｄが設けられている。蓋体１４ｄは、送風ダクト開口１４ｃに何も接続されていない状態では開口を閉じ、後述する搬送風接続ダクト４２と案内風接続ダクト４３と接続した状態で開口を開くように構成されており、これらダクトと送風ダクト１４ｂが連通した状態となる。
【００２５】
尚、後述する搬送風接続ダクト４２は、送風ダクト１４ｂと高湿風ダクト３０に接続して、搬送風Ｑを送風ダクト１４ｂから高湿風ダクト３０へと導く風路である。また、案内風接続ダクト４３は、送風ダクト１４ｂと案内風ダクト６０に接続して、案内風Ｓを送風ダクト１４ｂから案内風ダクト６０へと導く風路である。
【００２６】
次に、送風ダクト１４ｂは、高湿空気生成部１３と給水タンク装着部１５の間であって、本体１０の左右中心から側方（本実施の形態の場合、右側）に偏った部位に位置している（図７、図８）。そして、送風ダクト１４ｂの左側のスペースには、高湿空気生成部１３の下部よりつながる給水通路１７が通っている。このような送風部１４は、搬送風Ｑを送り出す搬送風送風部と、搬送風Ｑと高湿空気Ｐにより生成された高湿風Ｒを案内する案内風Ｓを送り出す案内風送風部を兼ねている。
尚、本実施の形態では、１つの送風部で搬送風送風部と案内風送風部を兼ねているが、搬送風Ｑを作り出す送風部と案内風Ｓを作り出す送風部を、それぞれ別々に分けて設けてもよい。
【００２７】
図６〜図１３を参照すると、給水タンク装着部１５は、給水タンク２０が装着されることで、給水タンク２０から水が供給される給水部となる部位である。
給水タンク装着部１５は、本体１０の上面に開口する凹形状を成しており、中央には上方に向けて突出する給水タンク２０を装着した時に給水弁２０ａを開く弁開放凸部１５ａが設けられている。
また、給水タンク装着部１５には、水位を検知する水位検知部（図示せず）が設けられている。水位検知部は、当該位置に水があるか否かを検知するもので、検知信号は制御部１２に向けて出力される。
【００２８】
ここで、給水タンク装着部１５と高湿空気生成部１３は、給水タンク２０から供給された水の水路となる給水通路１７により接続されている。給水通路１７は、本体１０の上面１０ａを前方に向けて伸び、上述の通り、送風ダクト１４ｂの側方を通り、上面１０ａから下方に伸びて、加熱用貯水部１３ａの下側から接続する。
【００２９】
尚、給水通路１７の上方向く部分には、当該位置を覆う通路蓋１７ａが設けられる。このように通路蓋１７ａを設けることで、加湿器Ａが転倒や傾いた場合、給水通路１７からの水の流出を低減することができる。
また、通路蓋１７ａを給水通路１７から取り外すことができるように構成することで、給水通路１７の内部を容易に清掃することが可能となる。
【００３０】
次に、図３〜図５を参照して、電源コード接続部１６について説明する。
電源コード接続部１６は、本体内部に設けられた高湿空気生成部１３や制御部１２や送風手段１４やその他各種電気部品に、商用電源から電力を得るための電源コードと接続する位置であり、本体１０の後端下部に設けられている。
この電源コードの接続端と電源コード接続部１６は、磁力により接続状態を保つように構成されていることから、容易に着脱することができ、電源コードが引っ張られた場合、電源コードが電源コード接続部１６から外れることで、加湿器Ａが強く引っ張られることを防ぎ、加湿器Ａが転倒しにくく構成されている。
【００３１】
特に、加湿器Ａは、水を保持した給水タンク２０が設けられた状態では、設置位置に対して本体１０の後ろ側の部分に荷重が大きくかかる。
従って、電源コード接続部１６は、荷重が大きくかかる位置の近くである本体１０の後端下部に位置しているので、電源コードが引っ張られた場合、加湿器Ａが大きくずれ動くことなく、電源コードが電源コード接続部１６から外れる。
【００３２】
（給水タンク）
次に、図１０〜図１５を参照して給水タンク２０について説明する。
給水タンク２０は、加湿器Ａから取出して水の補充が可能となるように、給水タンク装着部１５に着脱可能に連結される。給水タンク２０の下面部には、給水タンク装着部１５に連結されたときに開弁し、当該位置から取外されたときに閉弁する給水弁２０ａが設けられている。
【００３３】
（高湿風ダクト）
次に図１０〜図１２、図２１を参照して高湿風ダクト３０について説明する。
高湿風ダクト３０は、高湿空気ダクト１３ｃから流入する高湿空気Ｐと、搬送風接続ダクト４２から流入する搬送風Ｑとを混合して高湿風Ｒを生成し、この高湿風Ｒを高湿風吹出口４１に導く風路となる部位である。
高湿ダクト３０は、上下に円筒を重ねた形状を成しており、下側の円筒部分である下層部３１と、上側の円筒部分である上層部３２を有する。
【００３４】
下層部３１は下方に向けて開口（下開口３１ａ）しており、下層部３１と上層部３２の内部空間は、連通開口３２ａで上下に連通している。この連通開口３２ａには、開口縁から下方向に伸びる開口リブ３２１ａが形成されている。
また、下層部３１には、内方に凹むロック受部３１ｂが形成されている。このロック受部３１ｂは、ロック部１８のロック片１８ｂが嵌り込むことにより、高湿風ダクト３０を本体１０に固定するためのものである。
【００３５】
次に、上層部３２について説明する。
上層部３２は、下層部３１と連通開口３２ａを通して上下に連通している。また、上層部３２の上側には、前方を向く前開口３２ｂが開口している。この前開口３２ｂは、高湿風Ｒを高湿風ダクト３０の内部から外部へ排出する開口であり、前カバー４０の高湿風吹出口４１と対向する。
【００３６】
更に、上層部３２の下側には、後方を向く後開口３２ｃが開口している。この後開口３２ｃは、搬送風接続ダクト４２と接続して、搬送風Ｑを高湿風ダクト３０の内部に導入する開口である。  
【００３７】
次に、前開口３２ｂの下側には、扇形状の露受部３３が設けられている。この露受部３３は、扇形状の中心に向かって傾斜し、この扇形状の中心となる位置には露逃し開口３３ａが開口している。そして、露逃し開口３３ａの下には、露保持部３３ｂが形成されている。露保持部３３ｂは、下層部３１の上面に形成されている。
下層部３１の上面は、水を熱することで生じた高湿空気Ｐで温められるので、これに伴い露保持部３３ｂも温度が上がるので、露保持部３３ｂに溜まる露が蒸発しやすい。
【００３８】
また、露受部３３の表面は、親水処理が施されており、露逃し開口３３ａに向かって露が流れやすく構成されている。更に、露受部３３の扇形状は、前カバー４０の高湿風吹出口４１の下部の内面形状と一致している。
そして、この様に構成された露受部３３は、下層部３１の上面にねじ止めにより固定されている。
【００３９】
次に、図１〜図６、図２２〜図２８を参照して、加湿器Ａの外殻を構成する前カバー４０と後カバー５０と案内風ダクト６０について説明する。
前カバー４０は、本体１０及び本体１０に設けられた各部を覆うものであり、上面部４０ａと、左面部４０ｂと、右面部４０ｃと、左面部４０ｂと右面部４０ｃを前側で滑らかにつなぐ前面部４０ｄと、後方を向く後開口４０ｆを残して左面部４０ｂと右面部４０ｃを繋ぐ接続部４０ｅからなる。尚、前カバー４０の下面は、開口している。
【００４０】
前面部４０ｄには、前方に向けて高湿風吹出口４１が開口している。また、上面部４０ａには、上面開口４０１ａが開口しており、この上面開口４０１ａより前側の上面部４０ａ（前側上面部４０２ａ）は後側の上面部４０ａ（後側上面部４０３ａ）より一段低く構成されている。
更に、上面部４０ａの後端から後方に向けて、複数の爪部４４が突出して設けられている。また、接続部４０ｅは、前カバー４０内側に、後カバー５０の厚さ分ずれた位置に接続している。
【００４１】
次に、前カバー４０の内部には、搬送風接続ダクト４２と案内風接続ダクト４３が固定して設けられる。
搬送風接続ダクト４２は、一端に搬送風Ｑとなる気流を送風部１４から導入する搬送風入口４２ａとなる開口と、他端に高湿風ダクト３０へと搬送風Ｑを吹き出す搬送風出口４２ｂとなる開口が形成されている。
【００４２】
この搬送風接続ダクト４２は、一端から他端の間を曲がった形状に構成することで、搬送風入口４２ａは下方を向いて開口し、搬送風出口４２ｂは前方を向いて開口している。また、搬送風出口４２ｂの開口縁は前方に傾きく斜めとなる形状に構成されており、パッキン４２１ｂが設けられている。
【００４３】
案内風接続ダクト４３は、一端に案内風Ｓとなる気流を送風部１４から導入する案内風入口４３ａとなる開口と、他端に案内風ダクト６０の内部に案内風Ｓを吹き出す案内風出口４３ｂとなる開口が形成されている。
この案内風接続ダクト４３は、一端から他端にかけて曲がった形状に構成することで、案内風入口４３ａは下方向を向いて開口し、案内風出口４３ｂは前方を向いて開口している。
【００４４】
また、案内風接続ダクト４３は、案内風出口４３ｂ側が上面開口４０１ａから前カバー４０の外部に出ている。つまり、案内風出口４３ｂは、前側上面部４０２ａの上側に位置している。
更に、案内風接続ダクト４３の上面開口４０１ａから前カバー４０の外部に出ている部分の側面には、左右方向にそれぞれ突出し前後方向に伸びるレール受部４３ｃが形成されている。更に、案内風接続ダクト４３の上面開口４０１ａの下部には、下方向に突出し前方向に伸びるＬ字形状の脚部４３ｄが設けられている。
【００４５】
この様に構成された搬送風接続ダクト４２と案内風接続ダクト４３は、搬送風入口４２ａと案内風入口４３ａの位置で隣り合わせとなるように配置されている。この隣り合わせに配置されている搬送風入口４２ａと案内風入口４３ａの間には、下方向に突出する押圧レバー４５が設けられている。
この押圧レバー４５は、搬送風入口４２ａと案内風入口４３ａの開口を遮らないよう、板状に形成されており、前側が前方に傾く傾斜した形状となっている。
【００４６】
次に、主に図９〜図１２、図２２〜図２３を参照して、案内風ダクト６０について説明する。案内風ダクト６０は、案内風接続ダクト４３から吹き出された案内風Ｓの流路を形成する案内風ダクトベース６１と、蓋６２と、上面が平らな長い板状を成しているレール６３から構成されている。
【００４７】
案内風ダクトベース６１は、前方に向いて開口する案内風吹出口６１ａと、下方を向き前後方向に長く開口する下開口６１ｂと、上方に開口する上開口６１ｃと、内側に向けて突出して設けられるネジ受部６１ｄと、案内風の向きを調整する案内風調整手段６１ｅが設けられている。
蓋６２は、案内風ダクトベース６１と接続する蓋ベース６２ａと、蓋ベース６２ａの上面を覆い意匠面を形成する蓋カバー６２ｂからなる。
【００４８】
レール６３は、一対の直線部６３ａと、この直線部６３ａを接続する接続部６３ｂとを有し、ネジ穴６３ｃが形成されている。一対の直線部６３ａは互いに平行となる様に対向して接続部６３ｂで接続されており、表面が平らな面となっている。また、対向する直線部６３ａの間隔は、案内風接続ダクト４３の左右幅とほぼ同程度の隙間となっている。
【００４９】
そして、レール６３は、向かい合う直線部５３ａの間に、案内風接続ダクト４３を挟み込むように、案内風接続ダクト４３に取り付けられる。この状態においてレール６３は、案内風接続ダクト４３の左右の面から側方に向けて突出するレール受部４３ｃの下側に位置している。
この様に構成することで、レール受部４３ｃが上方向へのレール６３の脱落を防止すると共に、案内風接続ダクト４３の左右側面とレール受部４３ｃがレール６３を受けて、レール６３が、案内風接続ダクト４３に対して前後方向にスライド可能に取り付けられる。
【００５０】
次に、上記のように案内風接続ダクト４３に取り付けられたレール６３には、ネジ受部６１ｄにネジ６４を通して、レール６３のネジ穴に６３ｃにネジ止めすることにより、案内風ダクトベース６１が取り付けられる。
そして、レール６３に取り付けられた案内風ダクトベース６１に、上開口６１ｃを閉鎖するように蓋６２を取り付けられる。
【００５１】
これにより、案内風接続ダクトベース６１は、前カバー４０の上面部４０ａであって、前側上面部４０２ａから後側上面部４０３ａに跨って配置され、案内風ダクト６０と前カバー４０の前側上面部４０２ａで囲まれる空間が形成され、案内風Ｓの風路を内部に形成される。
つまり、案内風接続ダクトベース６１が上面部４０ａに配置された状態において、内部には、下開口６１ｂから案内風接続ダクト４３が入り込んだ状態となり、案内風ダクト６０がレール６３を介してレール受部４３ｃにガイドされて、前カバー４０の上面部４０ａの上方を前後方向にスライド可能となる。
【００５２】
ここで、ダクトベース６１は、前カバー４０の上面部４０ａであって、前側上面部４０２ａから後側上面部４０３ａに跨って配置され、蓋６２を取り付けることにより、上開口６１ｃが閉鎖され、案内風Ｓの流路となる案内風ダクト６０と前カバー４０の前側上面部４０２ａで囲まれる空間が形成され、案内風ダクト６０が構成される。
また、案内風ダクト６０の内部へ、前側上面部４０２ａと後側上面部４０３ａの間に開口する上面開口４０１ａから案内風接続ダクト４３が入り込み、案内風ダクト６０の内部で案内風接続ダクト４３と連通して連結する。
【００５３】
従って、案内風ダクト６０において、上面開口４０１ａより後方の部分の位置Ｍ１での断面は、案内風接続ダクト４３の案内風出口４３ｂから、案内風ダクト６０の案内風開口６１ａまでの位置Ｍ２での断面より小さくなる。つまり、案内風ダクト６０は、案内風接続ダクト４３の前後で、左右方向に切断した断面積が異なっている。
【００５４】
これは、後側上面部４０３ａは前側上面部４０２ａより高い位置で上面を構成している為であり、断面位置Ｍ２となる部分で案内風Ｓの風路をより広く確保しつつ、断面位置Ｍ１の断面積を小さくすることで、案内風ダクト６０の容積を小さくして、案内風接続ダクト４３より後方の空間をより大きく確保し、給水タンク２０を上方により大きく構成することができる。
【００５５】
次に、図２４〜図２８を参照して、後カバー５０について説明する。
後カバー５０は、前カバー４０と同じ高さであり、前方と下方が開口し、上面に取り外しの際に指をかける凹部５１が形成されている。そして、前カバー４０に取り付けられることで、一体となって加湿器Ａの外観を形成する。
【００５６】
以上の各部は、次のように本体１０に取り付けられる。
図１０〜図１２、図２１を参照すると、高湿空気ダクト１３ｃは、下開口１３１ｃを加熱貯水部１３ａの内部に入り込ませることにより、加熱貯水部１３ａに取り付けられる。この時、加湿空気ダクト１３ｃのフランジ１３４ｃが、加熱貯水部１３ａの上開口１３２の周縁に当接することで、加湿空気ダクト１３ｃの位置が決まる。また、パッキン１３５ｃにより、加湿空気ダクト１３ｃと加熱貯水部１３ａの隙間が埋められる。
尚、加湿空気ダクト１３ｃは、加熱貯水部１３ａに対して、着脱自在となっている。
【００５７】
次に、図６〜図２０を参照すると、高湿風ダクト３０は、ロック部１８のロック片１８ｂが、本体１０の高湿ダクト３０の取り付け領域の外に位置しているときに、本体１０に取り付けることができる。
高湿風ダクト３０は、下層部３１が高湿空気ダクト１３ｃを覆うように、本体上面１０ａに形成された取り付け位置に設けられる。
【００５８】
この時、高湿風ダクト３０の突出リブ１３３ｃにより形成されている円環内側に、高湿風ダクト３０の開口リブ３２１ａにより形成される円環が嵌り込む。そして、高湿空気ダクト１３ｃの上開口１３２ｃが、高湿風ダクト３０の上層部３２の連通開口３２ａと対向する。
つまり、高湿空気Ｐは、高湿空気ダクト１３ｃから、直接、高湿風ダクト３０の上層部３２の内部空間に流入するように構成される。
【００５９】
また、このように高湿風ダクト３０が本体上面１０ａに取り付けられた状態において、高湿風ダクト３０の前開口３２ｂは加湿器Ａの前方を向く。
更に、高湿風ダクト３０が本体上面１０ａに正しく取り付けられることで、高湿風ダクト３０に設けられたロック受部３１ｂは、ロック部１８と対向した位置となる。そして、この状態において、ロック部１８のロック片１８ｂを回動させることで、ロック片１８ｂがロック受部３１ｂに嵌り込み、高湿風ダクト３０が本体１０に固定される。
尚、ロック片１８ｂがロック受部３１ｂに嵌り込んだ状態では、上方から見ると、ロック片１８ｂは、本体１０の内側に位置する。
【００６０】
次に、図１０、図２３を参照すると、案内風ダクト６０及び案内風ダクト４３及び搬送風ダクト４２が取り付けられた前カバー４０は、本体１０に上方より取り付けられ、本体１０に取り付けられた各部を覆う。
本体１０に前カバー４０が取り付けられる過程において、押圧レバー４５が送風ダクト１４ｂの開口を閉じている蓋体１４ｄを下方向に押して送風ダクト１４ｂの開口を開き、案内風ダクト４３と搬送風ダクト４２が、送風ダクト１４ｂと連通した状態で接続する。
尚、図６、図７、図８、図１０を参照すると、送風ダクト１４ｂの蓋体１４ｄは、送風ダクト１４ｂの開口にヒンジバネを介して軸支されており、前カバー４０を本体１０から外すことで、押圧レバー４５の押圧状態が無くなり、ヒンジバネの力で再び送風ダクト１４ｂの開口を閉じる。
【００６１】
このように、本体１０に正しく前カバー４０が取り付けられると、高湿風吹出口４１と高湿風ダクト３０の前開口３２ｂが対向した位置関係となり、案内風接続ダクト４３の下部に設けられた脚部４３ｄが、高湿風ダクト３０の上面を上方より押える。
尚、高湿風ダクト３０が本体１０に正しく取り付けられておらず、ロック片１８ｂが、ロック受部３１ｂに嵌り込まずに、本体１０の高湿ダクト３０の取り付け領域の外に位置しているときは、ロック片１８ｂが少なくとも一部が本体１０の外部に突出する。
【００６２】
これにより、この様な状態で本体１０に前カバー４０を取り付けようとすると、前カバー４０の下端がロック片１８ｂと接触することで、前カバー４０を本体１０に取り付けることができない。
また、高湿風ダクト３０が本体１０に正しく取り付けられて、ロック片１８ｂが、ロック受部３１ｂに嵌り込んだ状態では、ロック片１８ｂが本体１０の内部に位置する。これにより、本体１０に前カバー４０を取り付ける際に、ロック片１８ｂが前カバー４０に干渉することがなく、前カバー４０を本体１０に取り付けることが可能な状態となる。
【００６３】
次に、図１４、図１５を参照すると、水タンク２０は、本体１０に前カバー４０が取り付けられた状態において、案内風ダクト６０が前方にスライドさせることで、案内風ダクト６０が後開口４０ｆを遮らなくなり、後開口４０ｆを通して、本体１０に取り付けることが可能である。
水タンク２０は、給水弁２０ａを給水タンク装着部１５に挿入することにより、給水弁が弁開放凸部１５ａに押される。これにより、水タンク２０内部から水が本体１０に供給される。
【００６４】
次に、図２２〜図２８を参照すると、後カバー５０は、本体１０に前カバー４０が取り付けられた状態において、案内風ダクト６０が前方にスライドさせることで、案内風ダクト６０が後開口４０ｆを遮らない状態とすることで、前カバー４０の後開口４０ｆを塞ぐように取り付けることが可能である。
この後カバー５０は、前カバー４０の爪部４４に、下面５０ｂに形成された凹部５０１ｂを引っかけて前カバー４０に取り付けられる。
尚、後カバー５０を本体１０から取り外す場合、同様に、案内風ダクト６０を、前カバー４０と後カバー５０を跨る位置から、前方にスライドして動かすことにより、後カバー５０と上下に重ならない位置となり、後カバー５０が前カバー４０に対して着脱自在となる。
【００６５】
また、後カバー５０の上面部５０ａは、前カバーの後側上面部４０３ａと同じ高さとなるように構成されている。つまり、後カバー５０は、案内風ダクト６０を前後方向にスライドさせ際に、案内風ダクト６０のスライド動作を妨げない位置となると共に、給水タンク２０の領域が最大となるように構成され、前カバー４０に対して取り付けられる。
更に、後カバー５０は前カバー４０に取り付けるので、前カバー４０に取り付けた状態で本体１０から取り外すことが可能である。
【００６６】
ここで、案内風ダクト６０は、案内風Ｓの風路を形成した状態で、前後方向にスライド移動可能に取り付けられているが、案内風ダクト６０の位置ごとの各部との位置関係について説明する。
【００６７】
（１）案内風ダクト６０が最も後退した位置である場合（収納された状態）
最も後退した位置である収納位置に案内ダクト６０が位置する場合、加湿器Ａを上方から見ると、案内ダクト６０は、前カバー４０の上面部４０ａ（前側上面部４０２ａ、後側上面部４０３ａ）の内側に位置する。
この状態では案内風ダクト６０は、前ケース４０と後ケース５０に跨る位置となり、後ケース５０が案内風ダクト６０と前カバー４０の爪部４４に上下に挟まれ、後ケース５０が前ケース４０から外れにくい状態となる。
これにより、案内風ダクト６０が収納状態であれば、前ケース４０と後ケース５０を本体１０から一体に取り外しやすくなり、取り外した後もバラバラになりにくく管理しやすい。
【００６８】
（２）案内風ダクト６０が前進した位置である場合（運転状態）
最も前進した位置に案内ダクト６０が位置する場合、案内風Ｓの風路は、案内風ダクト６０と前カバー４０の前側上面部４０２ａにより形成され、案内風開口６１ａは、高湿風吹出口４１より前側に位置する。
案内風開口６１ａから吹き出る案内風Ｓは、高湿風吹出口４１から前方に吹き出される高湿風Ｒの流れに向けて、斜め下方向に向いて吹き出る。
尚、案内風ダクト６０は、最も後退した位置（収納状態）から、最も前進した位置の間であれば、任意の位置に保持することができる。
【００６９】
（加湿器Ａの動作）
以上のように構成された加湿器Ａは、次のように動作する。
図２９を参照すると、この図に示すルーチンでは、ステップＳ１において、操作部１１に設けられた電源スイッチが押されると、加湿器Ａの電源がＯＮとなり、加湿運転が開始される。
次に、ステップＳ２では、制御部１２によりヒータ１３ｂが起動（ＯＮ）される。この結果、加熱用貯水部１３ａ内の水は、ヒータ１３ｂにより加熱され、蒸気を含む高湿空気Ｐを発生させる。
【００７０】
発生した高湿空気Ｐは、温度が高くて軽いので、図９、図１０に示すように、高湿空気ダクト１３ｃ内を垂直に上昇し、上開口１３２ａを通って高湿風ダクト３０に流入する。
このように、加熱用貯水部１３ａの真上に高湿空気ダクト１３ｃを配置し、更に、高湿風空気ダクト１３ａの真上に高湿風ダクト３０を配置したので、加熱用貯水部１３ａで発生した高湿空気Ｐを高湿風ダクト３０内に円滑に導入することができる。
【００７１】
次に、ヒータ１３ｂが起動されてから十分な時間が経過し、高湿空気Ｐが安定的に生成される状態になると、ステップＳ３では、制御部１２により送風ファン１４ａが起動（ＯＮ）される。
これにより、送風ファン１４ａは、送風ダクト１４ｂを介して搬送風接続ダクト４２に搬送風Ｑを送り込むと共に、案内風接続ダクト４３に案内風Ｓを送り込む。
【００７２】
搬送風Ｑは、後開口（搬送風導入開口）３２ｃから高湿風ダクト３０の内部に流入し、高湿空気Ｐと衝突して混ざり合う。
ここで、後開口３２ｃは、高湿風ダクト３０を後方から見た場合の左右中心から、右側にずれた位置に開口している。従って、後開口３２ｃから流入した搬送風Ｑは、円筒形状である高湿風ダクト３０の内壁面に沿って、らせん状に回転しながら上昇していく。
【００７３】
高湿空気Ｐは、回転中心となる位置から高湿風ダクト３０内部に侵入し、らせん状に回転する搬送風Ｑの気流に混ざり合う。
このように、高湿風ダクト３０の内部でらせん状に搬送風Ｑを流下させ、これに対して高湿空気Ｐを混ぜ合わせることで、混ざりムラを低減することができる。
以上のように、高湿空気Ｐ及び搬送風Ｑは混ざり合って高湿風Ｒとなり、前開口（高湿風吹出開口３２ｂ）から前方へと水平に吹き出し、前カバー４０の高湿風吹出口４１からユーザ等の加湿目標に向けて搬送される。
【００７４】
一方、案内風Ｓは、案内風接続ダクト４３から案内風ダクト６０に流入し、案内風開口６１ａに向けて流通する。そして、案内風開口６１ａでは、案内風の向きを調整する案内風調整手段６１ｅにより案内風Ｓの風向が斜め下向きに変更される。
ここで、案内風調整手段６１ｅの形状は、扇形状に形成されている。これにより、案内風Ｓは、案内風吹出口３１から斜め下向きに強く吹き出しながら、高湿風Ｒに上側から覆い被さるように略扇形状の範囲に広がり、高湿風Ｒを上側から抑え込む。この結果、高湿風Ｒの上昇を抑制することができる。
【００７５】
次に、ステップＳ４では、まず、センサ系統により人体の検出、人体との距離の検出、室内の湿度の検出を実行する。そして、例えば、センサ系統による検出結果と、ユーザによる運転条件の設定とに基づいて、加湿器の運転状態を調整する。
具体例を挙げると、制御部４０には、例えば加湿器の位置での湿度と、ユーザまでの距離との関係と、ユーザの位置での湿度との関係を示す特性データが予め記憶されている。制御部１２は、センサ系統により実際に検出した湿度及び距離に基づいて、前記特性データからユーザの位置の湿度を推定する。
【００７６】
そして、推定した湿度に基づいて、例えばヒータ１３ｂ、送風ファン１４ａ等を間欠運転することにより、加湿器の運転状態を調整する。
一例を挙げると、制御部１２は、推定した湿度が適切な湿度範囲を下回る場合に、ヒータ１３ｂをＯＮ状態とし、推定した湿度が前記湿度範囲を上回る場合に、ヒータ１３ｂをＯＦＦ状態とする構成としてもよい。
【００７７】
次に、ステップＳ５では、予め設定された各種の条件に基づいて加湿器の電源をＯＦＦするか否かを判定する。
具体例を挙げると、下記の条件（１）〜（５）の少なくとも１つが成立した場合には、ステップＳ６に移行し、加湿器の電源をＯＦＦする。一方、条件（１）〜（５）の全てが不成立である場合には、ステップＳ４，Ｓ５の処理を繰り返す。
【００７８】
（１）ユーザにより電源スイッチがＯＦＦされたか？
（２）タイマーに設定された時間が経過したか？
（３）給水タンク２０から水が無くなったか？
（４）高湿風ダクト３０内の温度が許容範囲を超えて上昇したか？
（５）高湿風吹出口４１等に人体が接触したか？
【００７９】
以上の通り加湿器Ａを構成することにより、次の効果を得ることができる。
まず、加湿器Ａの案内風吹出口６１ａは高湿風吹出口４１より前側に位置し、案内風吹出口６１ａは、案内風Ｓが、高湿風吹出口４１から吹き出た高湿風Ｒの流れに向けて吹き出るように構成されているので、案内風Ｓの流れに乗って高湿風Ｒをより遠くに流すことができる。
【００８０】
また、加湿器Ａの案内風ダクト６０は前後方向に移動可能であり、この案内風ダクト６０を前方に動かすことにより、案内風吹出口６１ａは高湿風吹出口４１より前側に位置するように構成されているので、使用時は案内風ダクト６０を前方に移動することにより高湿風Ｒをより遠くに流すことができ、使用していない時には案内風ダクト６０を収納することができる。
【００８１】
また、加湿器Ａの案内風吹出口６１ａは斜め下方向に向けて開口すると共に、高湿風吹出口４１の上方に位置しているので、案内風Ｓは、高湿風Ｒの上側から斜め下向きに吹き出され、案内風Ｓにより高湿風Ｒの上昇を上側から抑え込むことができる。
これにより、案内風Ｓを利用して高湿風Ｒの上昇を抑制し、高湿風Ｒに所望の指向性を与えることができる。
従って、加湿器Ａは、加湿器Ａから見て前方水平方向及び斜め下方に位置する加湿目標に向けて高湿風Ｒを効率よく搬送することができ、加湿目標であるユーザの近傍を安定して加湿することができる。
【００８２】
また、加湿器Ａの高湿空気生成部１３は、水を加熱して水蒸気を得る加熱蒸気式であるので、高湿風Ｒを温かく生成することができる。これにより、搬送された高湿風Ｒは、ユーザの下方に到達した後に、ユーザに向けて徐々に上昇する。
これにより、緩やかな流れの高湿風Ｒを用いてユーザの周囲を加湿することができ、ユーザに直接高湿風Ｒが当たることで感じる風に吹かれる感覚や、低温の高湿風に吹かれることが無いので寒さによる不快感等を低減することができる。
更に、暖かい高湿空気Ｐの上昇力を利用して、高湿空気Ｐと搬送風Ｑとを容易に混合することができる。
【００８３】
また、案内風吹出口６１ａの開口上部には、案内風調整手段６１ｅを設けたので、案内風Ｓの風向を調整することができ、容易に高湿風Ｒを加湿目標に合わせることができる。
また、案内風調整手段６１ｅの前端の形状を扇形状としたので、案内風Ｓは、案内風吹出口３１から斜め下向きに吹き出しながら、高湿風Ｒに上側から覆い被さるように略扇形状の範囲に広がり、高湿風Ｒを上側から抑え込むことができる。この結果、高湿風Ｒの上昇を抑制することができる。
【００８４】
また、後カバー５０を本体１０から取り外す場合、案内風ダクト６０を、前カバー４０と後カバー５０を跨る位置から、前方にスライドして動かすことにより、案内風ダクト６０が後カバー５０と上下に重ならない位置となり、後カバー５０が前カバー４０に対して着脱自在となる。
ここで、案内風ダクト６０が後カバー５０と上下に重ならない位置となるとあるが、後カバー５０が前カバー４０に対する着脱を邪魔しない程度に、案内風ダクト６０が後カバー５０と上下に重ならない状態となればよく、案内風ダクト６０が後カバー５０と多少上下に重なる部分があってもよい。
このように案内風ダクト６０を前カバー４０と後カバー５０を跨る位置にすることで、前カバー４０から後カバー５０が外れないので、収納時や持ち運びの際に管理しやすく、更に、本体１０から前カバー４０から後カバー５０を一体のカバーとして取り外すことができと共に、案内風ダクト６０を、前カバー４０と後カバー５０を跨る位置から、前方にスライドして動かすことにより、案内風ダクト６０が後カバー５０と上下に重ならない位置となり、後カバー５０が前カバー４０に対して着脱自在に構成できる。
【００８５】
また、案内風ダクト６０において、案内風接続ダクト４３より後側の位置の断面は、案内風接続ダクト４３より前側の位置の断面より小さく構成されている。このように構成することで、案内風接続ダクト４３より後方の空間をより大きく確保し、給水タンク２０を上方により大きく構成することができる。
【００８６】
また、案内風接続ダクト４３に、案内風ダクト６０の移動用ガイドとなるレール受部４３ｃを設けたので、部品数を減らすことができ、軽量・小型化を実現することができる。
また、案内風接続ダクト４３と搬送風接続ダクト４２は、カバー側となる前カバー４０に設けたので、カバー４０を本体１０から取り外した際に、一緒に案内風接続ダクト４３と搬送風接続ダクト４２を外すことができ、本体１０のメンテナンス性を向上させることができる。
また、搬送風送風部と案内風送風部は、共通の送風部１４としたことで、部品数を減らすことができ、軽量・小型化を実現することができる。
【００８７】
また、高湿風吹出口４１から高湿風Ｒが吹き出す方向と、制御部１２と高湿空気生成部１３と送風部１４と給水タンク装着部１５が並ぶ方向が、同じ方向となっているので、高湿風Ｒの吹き出し方向に対して本体１０の左右の幅を、よりコンパクトに構成することができる。つまり、加湿器Ａの左右の幅を、よりコンパクトに構成することができる。
【００８８】
また、送風ダクトは１４ｂ、本体１０の左右中心から一方の側方に寄せて配置され、この送風ダクト１４ｂの他方の側方には、給水通路１７が形成されるので、本体１０の左右の幅内において、送風ダクト１４ｂと給水路１７を効率良く配置することでき、加湿器Ａの左右の幅を、よりコンパクトに構成することができる。
【００８９】
また、給水通路１７の上方は、通路蓋１７ａで覆われているので、加湿器Ａが転倒しても、給水通路１７からの水漏れを抑えることができる。
また、この通路蓋１７ａは、給水通路１７から着脱自在なので、給水通路１７の清掃などメンテナンスを容易に行うことができる。
【００９０】
また、送風ダクト１４ｂは、給水タンク２０と高湿空気生成部１３の間に位置すると共に、上方に向けて開口し、送風ファン１４ａは遠心ファンであり、送風ダクト１４ｂの下方に位置し、前後方向から空気を吸い込み、上方を含むファンの回転中心の遠心方向に空気を放出することで気流を発生させるように配置されているので、給水タンク２０（給水タンク装着部）と高湿空気生成部１３の間のスペースに、効率よく送風ファンを配置することができると共に、本体１０の内部に設けられた各部の冷却を行うことができる。
【００９１】
また、送風部１４の下部に水抜き穴１４１ｅを形成し、送風ファン１４ａの下方の本体１０の底面には、本体水抜き穴１０１ｃが形成されているので、送風ダクト１４ｂから本体１０の内部に水が浸入しても、本体１０の外に水を排出することができる。
【００９２】
ここで、本体１０の変形例を示す図３０、図３１を参照して、以上で説明した形態の変形例であって本発明の要部について説明する。尚、特に説明の無い構成・動作については、以上で説明した構成・動作と同じである。図３０は、本体１０の変形例であって（ａ）後方から見た斜視図、（ｂ）側面図、（ｃ）背面図を示す。
本体１０の上面１０ａの縁には、上方向に向けて立つ立壁１０ｂが設けられている。この立壁１０ｂは、高湿空気生成部１３や給水タンク装着部１５、給水通路１７を囲み、上面１０ａと立壁１０ｂで凹部１０ｃが形成する。
この凹部１０ｃは、給水タンク２０から水があふれ出たときに、極力この水を本体１０の外側に漏れ出さないように保持することができる空間である。
【００９３】
ここで立壁１０ｂは、高さが一番低い部分が電源コード接続部１６の真上に位置しないように形成されている。
具体的には、本実施の形態の立壁１０ｂは、本体１０の前方側から後方側にかけて、立壁１０ｂの上端１０１ｂまでの高さが、徐々に低くなり、電源コード接続部１６が位置する部分より、所定の幅（図中、Δｘ）ずれた上方の位置で、後方側の高さが高くなる段形状となっている。
【００９４】
つまり、立壁１０ｂの上端１０１ｂは、前側から後側にかけてなだらかに低くなり、電源コード接続部１６より所定の幅（図中、Δｘ）ずれた上方の位置で、角部１０２ｂが形成されて一段高くなり、電源コード接続部１６の真上に至る。
従って、電源コード接続部１６の真上には、立壁１０ｂの一番低い部分となる角部１０２ｂが位置しない構成となっている（立壁１０ｂの一番低い位置である角部１０２ｂは、電源コード接続部１６から斜め前方向にΔｘずれた位置の上方となる。）。尚、立壁１０ｂは、左右対称の形状に構成されている。
【００９５】
以上のように構成された本体１０において、給水タンク２０から水漏れが生じた状態について図３１を用いて説明する。
図３１（ａ）は、給水タンク２０から漏れ出した水が凹部１０ｃの内部に溜まった状態を示す模式図である。図３１（ｂ）は、給水タンク２０から漏れ出した水が凹部１０ｃの内部に溜まった状態であって、本体１０を後部が下がるように傾けた状態を示す模式図である。
【００９６】
図３１（ａ）を参照すると、給水タンク２０から漏れ出た水が、角部１０２ｂの高さまで凹部１０ｃに溜まっている。符号Ｗが示すラインは、凹部１０ｃ内に溜まっている水の水面を示す。
この状態から、更に給水タンク２０から水漏れが進むと、角部１０２ｂを起点に水が立壁１０ｂを越えて、本体１０の下方向に向かって外部に水があふれ出す。このとき、水があふれ出す起点である角部１０２ｂは、電源コード接続部１６から所定の距離Δｘ離れているので、漏れ出した水が電源コード接続部１６に流れにくく構成されている。
【００９７】
次に、図３１（ｂ）を参照する。
図３１（ｂ）は、図３１（ａ）の状態から本体１０を持ち上げるなどして、後部が下がるように本体１０が傾いた状態である。
このような状態に至っても、凹部１０ｃから外部に水が流れ出す起点が、電源コード接続部１６から離れた位置にある角部１０２ｂとなり、漏れ出した水が電源コード接続部１６に流れにくく構成されている。
尚、符号Ｘが示す矢印は、角部１０２ｂから流れ出る水の進む方向を示している。
【００９８】
以上のように構成することで、給水タンク２０から水が漏れ、凹部１０ｃに溜まった水が外部に漏れる場合であっても、立壁１０ｂの一番低い位置から水が漏れ出す。
このとき、立壁１０ｂの一番低い位置である角部１０２ｂは、電源コード接続部１６の位置から所定の距離（Δｘ）ずれた位置の上方であり、漏れ出た水が電源コード接続部１６に向けて流れることを防止できる。
【００９９】
特に、立壁１０ｂの一番低い位置を角部１０２ｂとすることで、凹部１０ｃの内部から水が漏れる場合の水が漏れる位置（水が凹部１０ｃから漏れ出る起点）を設定することができ、より確実に電源コード接続部１６に水がかからない構成とすることができる。
尚、この所定の距離（Δｘ）は、水が漏れても電源コード接続部１６に流れない程度の距離であればよく、通常、本体１０を持ち上げる際に傾ける角度であっても、水が流れて電源コード接続部１６に至らない程度の距離に設定するとよい。
【０１００】
また、立壁１０ｂを前側から後側にかけて徐々に低くなり、途中から一段高くして、電源コード接続部１６の真上に立壁１０ｂの一番低い部分が位置しない構成としているので、電源コード接続部１６の真上の立壁１０ｂを低く形成することができる。
更に、電源コード接続部１６の上方及び左右を囲むようにリブ１６ａを設けることにより、より凹部１０ｂから水が漏れ出た場合であっても、電源コード接続部１６への水の浸入を防ぐことができる。特に、上記の通り立壁１０ｂを構成しているので、リブ１６ａをより小さく設定することができる。
【符号の説明】
【０１０１】
Ａ  加湿器、１０  本体、１０ａ  本体上面、１１  操作表示部、１１ａ  操作手段、１１ｂ  表示手段、１２  制御部、１３  高湿空気生成部、１３ａ  加熱用貯水部、１３１ａ  上面開口、１３ｂ  ヒータ、１３ｃ  高湿空気ダクト、１３１ｃ  下開口、１３２ｃ  上開口、１３３ｃ  突出リブ、１３４ｃ  フランジ、１３５ｃ  パッキン、１４  送風部、１４ａ  送風ファン、１４ｂ  送風ダクト、１４ｃ  送風ダクト開口、１４ｄ  蓋体、１４１ｂ  吸込み口、１４２ｂ  送風口、１５  給水タンク装着部、１５ａ  弁開放凸部、１６  電源コード接続部、１７  給水通路、１７ａ  通路蓋、１８  ロック部、１８ａ  軸、１８ｂ  ロック片、２０  給水タンク、  ２０ａ  給水弁、３０  高湿風ダクト、３１  下層部、３１ａ  下開口、３１ｂ  ロック受部、３２  上層部、３２ａ  連通開口、３２１ａ  開口リブ、３２ｂ  前開口（高湿風吹出開口）、３２ｃ  後開口（搬送風導入開口）、３３  露受部、３３ａ  露逃し開口、３３ｂ  露保持部、４０  前カバー、４０ａ  上面部、４０２ａ  前側上面部、４０３ａ  後側上面部、４０１ａ  上面開口、４０ｂ  左面部、４０ｃ  右面部、４０ｄ  前面部、４０ｅ  接続部、４０ｆ  後開口、４１  高湿風吹出口、４２  搬送風接続ダクト、４２ａ  搬送風入口、４２ｂ  搬送風出口、４２１ｂ  パッキン、４３  案内風接続ダクト、４３ａ  案内風入口、４３ｂ  案内風出口、４３ｃ  レール受部（前後移動用ガイド）、４３ｄ  脚部、４４  爪部、４５  押圧レバー、５０  後カバー、５０ａ  上面部、５０ｂ  下面部、６０  案内風ダクト、６１  案内風ダクトベース、６１ａ  案内風吹出口、６１ｂ  下開口、６１ｃ  上開口、６１ｄ  ネジ受部、６１ｅ  案内風調整手段、６２  蓋、６３  レール、６４  ネジ
【図１】
0006446972.tif 000002
【図２】
0006446972.tif 000003
【図３】
0006446972.tif 000004
【図４】
0006446972.tif 000005
【図５】
0006446972.tif 000006
【図６】
0006446972.tif 000007
【図７】
0006446972.tif 000008
【図８】
0006446972.tif 000009
【図９】
0006446972.tif 000010
【図１０】
0006446972.tif 000011
【図１１】
0006446972.tif 000012
【図１２】
0006446972.tif 000013
【図１３】
0006446972.tif 000014
【図１４】
0006446972.tif 000015
【図１５】
0006446972.tif 000016
【図１６】
0006446972.tif 000017
【図１７】
0006446972.tif 000018
【図１８】
0006446972.tif 000019
【図１９】
0006446972.tif 000020
【図２０】
0006446972.tif 000021
【図２１】
0006446972.tif 000022
【図２２】
0006446972.tif 000023
【図２３】
0006446972.tif 000024
【図２４】
0006446972.tif 000025
【図２５】
0006446972.tif 000026
【図２６】
0006446972.tif 000027
【図２７】
0006446972.tif 000028
【図２８】
0006446972.tif 000029
【図２９】
0006446972.tif 000030
【図３０】
0006446972.tif 000031
【図３１】
0006446972.tif 000032